(57)【要約】      （修正有）【課題】ノック駒の幅を広くしても芯の繰り出し量が十分に得られ、押圧操作が安定したサイドノック式シャープペンシルを提供する。【解決手段】軸筒１の側壁に芯繰り出し手段を作動せしめるノック駒２８が配置されたサイドノック式シャープペンシルであって、前記ノック駒の両端部近傍の幅を中間部の幅よりも狭く形成すると共に、その幅狭部３４に前記軸筒からのノック駒の脱落を防止する係合部を設けたサイドノック式シャープペンシル。【選択図】図１
2008055758.tif 000002
【特許請求の範囲】
【請求項１】
軸筒の側壁に芯繰り出し手段を作動せしめるノック駒が配置されたサイドノック式シャープペンシルであって、前記ノック駒の両端部近傍の幅を中間部の幅よりも狭く形成すると共に、その幅狭部に前記軸筒からのノック駒の脱落を防止する係合部を設けたことを特徴とするサイドノック式シャープペンシル。
【請求項２】
前記ノック駒を軸筒の長手方向における中心軸線に対して、垂直な方向に押圧が可能となした請求項１記載のサイドノック式シャープペンシル。
【請求項３】
前記軸筒の前方部にグリップを設ける一方、軸筒の後方にクリップを設け、それらグリップとクリップの間のほぼ全域に渡って前記ノック駒を配置したことを特徴とする請求項１、或いは、請求項２に記載のサイドノック式シャープペンシル。
【請求項４】
前記ノック駒の非押圧操作時における表面高さと、前記軸筒の表面高さをほぼ同一となした請求項１〜請求項３に記載のサイドノック式シャープペンシル。
【発明の詳細な説明】
【技術分野】
【０００１】
本発明は、軸筒の側壁に芯繰り出し手段を作動せしめるノック駒が配置されたサイドノック式シャープペンシルに関する。
に関する。
【背景技術】
【０００２】
一例として、軸筒の軸径方向に移動可能にノックボタンを取付け、該ノックボタンを押圧して芯を繰り出すようにしたサイドノック式シャ−プペンシルにおいて、上記ノックボタンは外面部と該外面部の両側に対向して設けた脚片を有し、上記軸筒にノックボタンの上記脚片をそれぞれ挿入するよう長孔を並列して設けると共に該長孔間に隔壁を形成したサイドノック式シャ−プペンシルのノックボタン取付構造があり、上記ノックボタンの各脚片の下端部には軸筒からの脱落を防止する係合爪が全域に渡って形成されている。
【特許文献１】特許第２９５２８２４号公報。
【発明の開示】
【発明が解決しようとする課題】
【０００３】
しかし、上記の従来技術にあっては、ノックボタンの幅が軸筒の直径に比し、狭いため、押圧操作がしにくいものとなってしまっていた。つまり、ノックボタンと押圧する指の腹との接触面積が少ないため、不安定な押圧操作となってしまうばかりでなく、ややもすると、指の腹に痛みを感じてしまうことがあった。
そこで、ノックボタンの幅を広くすることも考えられるが、広くすることによって、ノックボタンの軸心方向に対する移動量が少なくなってしまい、十分な芯の繰り出し量が得られないものとなってしまっていた。つまり、係合爪を有するノックボタンの脚片の下端部と軸筒内面との距離が少なくなってしまうのである。
【課題を解決するための手段】
【０００４】
そこで、本発明は、軸筒の側壁に芯繰り出し手段を作動せしめるノック駒が配置されたサイドノック式シャープペンシルであって、前記ノック駒の両端部近傍の幅を中間部の幅よりも狭く形成すると共に、その幅狭部に前記軸筒からのノック駒の脱落を防止する係合部を設けたことを要旨とする。
【発明の効果】
【０００５】
本発明は、軸筒の側壁に芯繰り出し手段を作動せしめるノック駒が配置されたサイドノック式シャープペンシルであって、前記ノック駒の両端部近傍の幅を中間部の幅よりも狭く形成すると共に、その幅狭部に前記軸筒からのノック駒の脱落を防止する係合部を設けたので、ノック駒の幅を広くしても芯の繰り出し量が十分に得られるサイドノック式シャープペンシルを提供することができる。
【発明を実施するための最良の形態】
【０００６】
本発明における１例を説明する。軸筒１の後方は、芯を複数本収納可能な断面が円形の芯タンク部２となっているが、その断面形状を六角形状、或いは、角部が湾曲形成されたほぼ八角形状などとしても良い。また、軸筒１の後方には、尾栓３が挿着されており、その尾栓３の内側も芯タンク部４となっている。その尾栓３の後部外周には金属製のクリップ５が固定されているが、尾栓３に一体成形などしても良い。一方、尾栓３の後端開口部６には、消しゴム７が着脱自在に取り付けられていると共に、その消しゴム７を覆うように消しゴムカバー８も着脱自在に取り付けられている。前記尾栓３の前方部は、縮径部９となっており、その縮径部９の中間部には係合爪１０が形成されており、その係合爪１０が前記軸筒１の後部に形成されている貫通孔１１に係合している。また、縮径部９の後方には、突部１２が長手方向に形成されており、その突部１２が前記軸筒１の後端部に形成されているスリット１３に係合している。
軸筒１の前方内側には、前記尾栓３の芯タンク部４よりも小径ではあるが、芯が複数本収納可能な芯挿通孔１４が形成され、また、軸筒１の芯タンク部２と摺動する鍔部１５が形成されたスライダ１６が前後動可能に配置されているが、前記芯挿通孔１４を芯タンク部４と同径にしても良いし、大径にしても良い。そのスライダ１６の前端には、芯の把持・解放を行うチャック体１７が固定されており、そのチャック体１７の前方外周には、チャック体１７の開閉を行うチャックリング１８が囲繞している。符号１９は、軸筒１の前端に螺着などの手段によって着脱自在に固定された先部材であって、その先部材１９には、芯を軽く保持すると共に、芯の後退を阻止するゴム状弾性体からなる芯戻り止め部材２０が配置されているが、前記先部材１９の内面に一体形成しても良い。その先部材１９の前端には、金属製の芯保護管２１が圧入などの手段によって固定されているが、この芯保護管２１も先部材１９と一体成形などしても良い。
前記軸筒１の後部内面には、内面鍔部２２が形成されており、その内面鍔部２２と前記スライダ１６の鍔部１５との間には、コイルスプリングなどの弾発部材からなるチャックスプリング２３が張設されており、前記スライダ１６やチャック体１７、並びに、チャックリング１８などを後方に向けて付勢している。チャックスプリング２３を軸筒１の後部に設けることによってチャックスプリング２３の直径を大きくすることができ、これによってスプリングの弾性係数を小さなものとすることができ、その結果、常に均等な力で芯の繰り出し操作をすることができるようになる。ちなみに、チャックスプリングは軸筒の前方に配置するのが一般的であり、そのチャックスプリングの直径は小さなものとなってしまっている。その結果、弾性係数も大きなものとなってしまっており、芯の繰り出し操作を行う過程で、必要な押圧操作力が次第に大きなものとなってしまっている。
【０００７】
前記軸筒１の前方には、縮径部２４が形成されており、その縮径部２４にはエラストマーやシリコーンゴムなどからなる弾性を有するグリップ部材２５が挿着されているが、軸筒の表面にローレット加工などを施すなどすることによって軸筒の表面に直接グリップ部を形成しても良い。
そのグリップ部材２５と前記クリップ５の先端部との間には、凹部２６が形成されている。その凹部２６には、窓孔２７が形成されており、その窓孔２７には前記スライダ１６を前進移動せしめるノック駒２８が配置されている。そのノック駒２８は、その断面がコ字型をしており、その両壁面２９の内側には作動部３０が前後に離隔した状態で形成されている。そして、その各々の作動部３０の前後端部には、軸線方向に対して対称となる傾斜面３０ａ、３０ｂが形成されている。即ち、ノック駒２８自体が軸線の前後、並びに左右方向に対して対称なものとなっている（図８参照）。そして、本実施例においては、前記作動部３０の傾斜面３０ａが前記スライダ１６の中間部の前後の２ケ所に形成された傾斜面３１に当接している。つまり、ノック駒２８を軸筒１の長手方向における中心軸線に対して垂直方向に押圧すると、ノック駒２８の傾斜面３０ａ、３０ｂがスライダ１６の傾斜面３１を押圧し、これによってスライダ１６が前進し、芯が繰り出されるのである。本実施例のようにノック駒２８を軸線の前後、並びに左右方向に対して対称な形状とすることにより、ノック駒２８の前後の方向性が無くなり、これによって、ノック駒２８を軸筒１に取り付ける際、そのノック駒の方向を気にせずに組み付けることができ、もって、生産性の向上が図れる。尚、前記スライダ１６の側部には、平坦部３２が形成されており（図１０）、その平坦部３２に前記作動部３０の内面部３３が接触・摺動し得るようになっている。即ち、この内面部３３と平坦部３２との接触によって、ノック駒２８とスライダ１６との相対的な回転が防止されているのである。しかし、ノック駒２８とスライダ１６との摺動抵抗や、前記ノック駒２８の窓孔２７への組み立て性を考慮し、ノック駒２８とスライダ１６との間には、若干の隙間、具体的には、後述する係合爪３６の高さ分の隙間が形成されている。
尚、前記ノック駒２８の非押圧操作時における表面高さは、軸筒１の表面高さとほぼ同一となしている（図１、図４参照）。非押圧操作時におけるノック駒２８の突出状態を無くすることによって、筆記時における指への接触がなくなり、これによって違和感なく良好な筆記が得られると共に、衣服のポケットや紙などに装着する際にも引っ掛かることなく容易に装着することができる。
【０００８】
また、前記ノック駒２８は、グリップ部材２５とクリップ５の間のほぼ全域に渡って配置されており、これによって前記窓孔２７もグリップ部材２５とクリップ５の間のほぼ全域に渡って形成されている。ノック駒２８の長さを長く（大きく）することによって、押圧操作（芯の繰り出し操作）を行う場所を広範囲なものとしているのである。尚、前記ノック駒２８の外形と窓孔２７の内形は、ほぼ同形をなしているが、窓孔２７の外形の方が若干大きく形成されている。ノック駒２８の窓孔２７に対する摺動性を良好なものとしているのである。
更に、前記ノック駒２８の周方向における幅は、軸筒１の円周長の三分の一から四分の一程度を有している。ノック駒２８の幅を大きなものとすることによって、前記ノック駒２８の長さと同様に、押圧操作（芯の繰り出し操作）を行う場所を広範囲なものとしていると共に、押圧操作を行う指の腹との接触面積を大きくすることによって、ノック駒２８の安定性や操作する指の腹への感触などが向上される。
ここで、ノック駒２８の前方部と後方部には、幅狭部３４が形成されている。その幅狭部３４にも両壁面３５が形成されており、その両壁面３５の下端部には係合爪３６が形成されている。
一方、前記軸筒１の窓孔２７の前方部と後方部には、ノック駒２８の幅狭部３４の幅とほぼ同幅を有した幅狭窓部３７が形成されており、その幅狭窓部３７が形成されている軸筒１の内壁面に前記ノック駒２８の係合爪３６が係合し得るようになっている。つまり、この幅狭窓部３７（幅狭部３４）の位置における係合作用によって、ノック駒２８の軸筒１からの脱落が防止されているのである。そして、ノック駒２８の係合爪３６と、その係合爪３６が係合する軸筒１の部分（幅狭窓部３７）を互いに幅を狭くすることによって、ノック駒２８の押圧操作量が充分に得られるものとなっている。つまり、前記の係合部を軸筒１の中心に近づけることによって、その軸筒１の内径分に近い移動量が得られるようになるのである。
【０００９】
次に、動作について説明する。図１、並びに、図４に示す状態からノック駒２８を軸筒１の長手方向における軸線に対して垂直な方向、即ち、径方向に真っ直ぐに押圧すると、チャックスプリング２３の弾発力に抗して、スライダ１６やチャック体１７、並びに、チャックリング１８などが前進する。このとき、前記チャック体１７の把持されている芯も前進し、その芯が繰り出される。また、その芯の繰り出し過程において、ノック駒２８の会合爪３６は、軸筒１の内壁面との係合を解除し、軸筒１の底面３８へと進行し、やがてその底面に当接する（図１１〜図１４参照）。
【図面の簡単な説明】
【００１０】
【図１】本発明の１例を示す側面図。
【図２】図１の正面図。
【図３】図１の斜視図。
【図４】図１の縦断面図。
【図５】図３の縦断面図。
【図６】軸筒の斜視図。
【図７】ノック駒の斜視図。
【図８】図７の下方斜視図。
【図９】スライダの側面図。
【図１０】図９の斜視図。
【図１１】動作を説明する図４相当の縦断面図。
【図１２】図１１のＡ−Ａ線断面図。
【図１３】図１１のＢ−Ｂ線断面図
【図１４】図１１のＣ−Ｃ線断面図
【符号の説明】
【００１１】
１      軸筒
２      芯タンク部
３      尾栓
４      芯タンク部
５      クリップ
６      後端開口部
７      消しゴム
８      消しゴムカバー
９      縮径部
１０    係合爪
１１    貫通孔
１２    突部
１３    スリット
１４    芯挿通孔
１５    鍔部
１６    スライダ
１７    チャック体
１８    チャックリング
１９    先部材
２０    芯戻り止め部材
２１    芯保護管
２２    内面鍔部
２３    チャックスプリング
２４    縮径部
２５    グリップ部材
２６    凹部
２７    窓孔
２８    ノック駒
２９    両壁面
３０    作動部
３１    傾斜面
３２    平坦部
３３    内面部
３４    幅狭部
３５    両壁面
３６    係合爪
３７    幅狭窓部
３８    底部
【図１】
2008055758.tif 000003
【図２】
2008055758.tif 000004
【図３】
2008055758.tif 000005
【図４】
2008055758.tif 000006
【図５】
2008055758.tif 000007
【図６】
2008055758.tif 000008
【図７】
2008055758.tif 000009
【図８】
2008055758.tif 000010
【図９】
2008055758.tif 000011
【図１０】
2008055758.tif 000012
【図１１】
2008055758.tif 000013
【図１２】
2008055758.tif 000014
【図１３】
2008055758.tif 000015
【図１４】
2008055758.tif 000016